(57)【要約】【課題】所望の状態の被写体が写る静止画を自動的に得ることが可能な技術を提供する。【解決手段】電子機器は、カメラ部、通信部及び制御部を備える。カメラ部は、少なくとも一つのカメラを有し、ウェアラブル機器が取り付けられた被写体を撮影する。通信部は、ウェアラブル機器と通信する。制御部は、カメラ部に静止画を撮影させる、あるいはカメラ部で撮影される動画の一部を静止画として扱う静止画処理を行う。制御部は、被写体に関する情報が所定の条件を満たす場合にウェアラブル機器から送信される、静止画処理の実行を指示する実行指示を、カメラ部での動画撮影中に通信部が受信した場合、静止画処理を行う。【選択図】図５
2018006797.tif 000002
【特許請求の範囲】
【請求項１】
電子機器であって、
少なくとも一つのカメラを有し、ウェアラブル機器が取り付けられた被写体を撮影するカメラ部と、
前記ウェアラブル機器と通信する通信部と、
前記カメラ部に静止画を撮影させる、あるいは前記カメラ部で撮影される動画の一部を静止画として扱う静止画処理を行う制御部と
を備え、
前記制御部は、前記被写体に関する情報が所定の条件を満たす場合に前記ウェアラブル機器から送信される、前記静止画処理の実行を指示する実行指示を、前記カメラ部での動画撮影中に前記通信部が受信した場合、前記静止画処理を行う、電子機器。
【請求項２】
請求項１に記載の電子機器であって、
前記制御部は、前記カメラ部が有するあるカメラでの動画撮影中に前記通信部が前記実行指示を受信した場合、前記静止画処理において、当該あるカメラに動画撮影を中断させて静止画を撮影させる、あるいは当該あるカメラで撮影される動画の一部を静止画として扱う、電子機器。
【請求項３】
請求項１に記載の電子機器であって、
前記カメラ部は第１及び第２カメラを有し、
前記制御部は、前記第１カメラでの動画撮影中に前記通信部が前記実行指示を受信した場合、前記静止画処理において前記第２カメラに静止画を撮影させる、電子機器。
【請求項４】
請求項２及び請求項３のいずれか一つに記載の電子機器であって、
前記制御部は、前記カメラ部での動画撮影中に、前記静止画処理で静止画を撮影する静止画撮影カメラの撮影範囲内に前記被写体が存在するか否かを判定し、
前記制御部は、
前記カメラ部での動画撮影中に前記通信部が前記実行指示を受信した場合、
前記被写体が前記撮影範囲内に存在すると判定するときには前記静止画処理を行い、
前記被写体が前記撮影範囲内に存在しないと判定するときには前記静止画処理を行わない、電子機器。
【請求項５】
電子機器であって、
少なくとも一つのカメラを有し、ウェアラブル機器が取り付けられた被写体を撮影するカメラ部と、
前記ウェアラブル機器と通信する通信部と、
前記カメラ部に静止画を撮影させる、あるいは前記カメラ部で撮影される動画の一部を静止画として扱う静止画処理を行う制御部と
を備え、
前記制御部は、
前記カメラ部での動画撮影中に前記通信部が受信する、前記ウェアラブル機器から送信される前記被写体に関する情報が、所定の条件を満たすか否かを判定し、
前記情報が前記所定の条件を満たすと判定する場合、前記静止画処理を行う、電子機器。
【請求項６】
請求項５に記載の電子機器であって、
前記制御部は、前記カメラ部が有するあるカメラでの動画撮影中に前記通信部が受信する前記情報が前記所定の条件を満たすと判定する場合、前記静止画処理において、当該あるカメラに動画撮影を中断させて静止画を撮影させる、あるいは当該あるカメラで撮影される動画の一部を静止画として扱う、電子機器。
【請求項７】
請求項５に記載の電子機器であって、
前記カメラ部は第１及び第２カメラを有し、
前記制御部は、前記第１カメラでの動画撮影中に前記通信部が受信する前記情報が前記所定の条件を満たすと判定する場合、前記静止画処理において前記第２カメラに静止画を撮影させる、電子機器。
【請求項８】
請求項６及び請求項７のいずれか一つに記載の電子機器であって、
前記制御部は、前記カメラ部での動画撮影中に、前記静止画処理で静止画を撮影する静止画撮影カメラの撮影範囲内に前記被写体が存在するか否かを判定し、
前記制御部は、
前記カメラ部での動画撮影中に前記通信部が受信する前記情報が前記所定の条件を満たすと判定する場合、
前記被写体が前記撮影範囲内に存在すると判定するときには前記静止画処理を行い、
前記被写体が前記撮影範囲内に存在しないと判定するときには前記静止画処理を行わない、電子機器。
【請求項９】
請求項１乃至請求項８のいずれか一つに記載の電子機器であって、
前記情報は、前記被写体の速さあるいは加速度を含む、電子機器。
【請求項１０】
請求項９に記載の電子機器であって、
前記情報は、前記速さを含み、
前記制御部は、前記静止画処理において前記カメラ部が静止画を撮影する際のシャッター速度を前記速さに基づいて決定する、電子機器。
【請求項１１】
電子機器と、
ウェアラブル機器と
を備え、
前記電子機器は、
少なくとも一つのカメラを有し、前記ウェアラブル機器が取り付けられた被写体を撮影するカメラ部と、
前記ウェアラブル機器と通信する第１通信部と、
前記カメラ部に静止画を撮影させる、あるいは前記カメラ部で撮影される動画の一部を静止画として扱う静止画処理を行う第１制御部と
を有し、
前記ウェラブル機器は、
前記電子機器と通信する第２通信部と、
前記被写体に関する情報を検出する検出部と、
前記情報が所定の条件を満たすか否かを判定し、前記情報が前記所定の条件を満たすと判定する場合、前記静止画処理の実行を指示する実行指示を前記第２通信部に送信させる第２制御部と
を有し、
前記第１制御部は、前記カメラ部での動画撮影中に前記第１通信部が前記実行指示を受信した場合、前記静止画処理を行う、電子機器システム。
【請求項１２】
電子機器と、
ウェアラブル機器と
を備え、
前記ウェラブル機器は、
前記電子機器と通信する第１通信部と、
前記被写体に関する情報を検出する検出部と、
前記情報を前記第１通信部に送信させる第１制御部と
を有し、
前記電子機器は、
少なくとも一つのカメラを有し、前記ウェアラブル機器が取り付けられた被写体を撮影するカメラ部と、
前記ウェアラブル機器と通信する第２通信部と、
前記カメラ部での動画撮影中に前記第２通信部が受信する前記情報が所定の条件を満たすか否かを判定し、前記情報が前記所定の条件を満たすと判定する場合、前記カメラ部に静止画を撮影させる、あるいは前記カメラ部で撮影される動画の一部を静止画として扱う静止画処理を行う第２制御部と
を有する、電子機器システム。
【請求項１３】
静止画を撮影する、あるいは撮影する動画の一部を静止画として扱う静止画処理を行う電子機器が撮影する被写体に取り付けられるウェアラブル機器であって、
前記電子機器と通信する通信部と、
前記被写体に関する情報を検出する検出部と、
前記情報が所定の条件を満たすか否かを判定し、前記情報が前記所定の条件を満たすと判定する場合、前記静止画処理の実行を指示する実行指示を前記通信部に送信させる制御部と
を備える、ウェアラブル機器。
【請求項１４】
少なくとも一つのカメラを有するカメラ部を備え、ウェアラブル機器が取り付けられた被写体を当該カメラ部で撮影し、静止画を撮影する、あるいは撮影する動画の一部を静止画として扱う静止画処理を行う電子機器を制御するための制御プログラムであって、
前記電子機器に、
前記被写体に関する情報が所定の条件を満たす場合に前記ウェアラブル機器から送信される、前記静止画処理の実行を指示する実行指示を、前記カメラ部での動画撮影中に受信した場合、前記静止画処理を行う工程を実行させるための制御プログラム。
【請求項１５】
少なくとも一つのカメラを有するカメラ部を備え、ウェアラブル機器が取り付けられた被写体を当該カメラ部で撮影する電子機器を制御するための制御プログラムであって、
前記電子機器に、
前記カメラ部での動画撮影中に受信する、前記ウェアラブル機器から送信される前記被写体に関する情報が所定の条件を満たすか否かを判定する工程と、
前記情報が前記所定の条件を満たすと判定される場合、前記カメラ部に静止画を撮影させる、あるいは前記カメラ部で撮影される動画の一部を静止画として扱う静止画処理を行う工程と
を実行させるための制御プログラム。
【請求項１６】
静止画を撮影する、あるいは撮影する動画の一部を静止画として扱う静止画処理を行う電子機器が撮影する被写体に取り付けられ、当該被写体に関する情報を検出するウェアラブル機器を制御するための制御プログラムであって、
前記ウェアラブル機器に、
前記情報が所定の条件を満たすか否かを判定する工程と、
前記情報が前記所定の条件を満たすと判定される場合、前記静止画処理の実行を指示する実行指示を送信する工程と
を実行させるための制御プログラム。
【請求項１７】
少なくとも一つのカメラを有するカメラ部を備え、ウェアラブル機器が取り付けられた被写体を当該カメラ部で撮影し、静止画を撮影する、あるいは撮影する動画の一部を静止画として扱う静止画処理を行う電子機器での静止画取得方法であって、
前記被写体に関する情報が所定の条件を満たす場合に前記ウェアラブル機器から送信される、前記静止画処理の実行を指示する実行指示を、前記カメラ部での動画撮影中に受信した場合、前記静止画処理を行う工程を備える、静止画取得方法。
【請求項１８】
少なくとも一つのカメラを有するカメラ部を備え、ウェアラブル機器が取り付けられた被写体を当該カメラ部で撮影する電子機器での静止画取得方法であって、
前記カメラ部での動画撮影中に受信する、前記ウェアラブル機器から送信される前記被写体に関する情報が所定の条件を満たすか否かを判定する工程と、
前記情報が前記所定の条件を満たすと判定される場合、前記カメラ部に静止画を撮影させる、あるいは前記カメラ部で撮影される動画の一部を静止画として扱う静止画処理を行う工程と
を備える、静止画取得方法。
【請求項１９】
静止画を撮影する、あるいは撮影する動画の一部を静止画として扱う静止画処理を行う電子機器が撮影する被写体に取り付けられ、当該被写体に関する情報を検出するウェアラブル機器の動作方法であって、
前記情報が所定の条件を満たすか否かを判定する工程と、
前記情報が前記所定の条件を満たすと判定される場合、前記静止画処理の実行を指示する実行指示を送信する工程と
を備える、ウェアラブル機器の動作方法。
【発明の詳細な説明】
【技術分野】
【０００１】
本開示は、電子機器に関する。
【背景技術】
【０００２】
特許文献１及び２に記載されているように、撮影機能を有する電子機器に関して様々な技術が提案されている。
【先行技術文献】
【特許文献】
【０００３】
【特許文献１】特開２００２−１２１７０号公報
【特許文献２】特開２０１０−４１２９９号公報
【発明の概要】
【発明が解決しようとする課題】
【０００４】
電子機器が、所望の状態の被写体が写る静止画を自動的に得ることができることは望ましい。
【０００５】
そこで、本発明は上述の点に鑑みて成されたものであり、所望の状態の被写体が写る静止画を自動的に得ることが可能な技術を提供することを目的とする。
【課題を解決するための手段】
【０００６】
電子機器、電子機器システム、ウェアラブル機器、制御プログラム、静止画取得方法及びウェアラブル機器の動作方法が開示される。
【０００７】
一の実施の形態では、電子機器は、カメラ部、通信部及び制御部を備える。カメラ部は、少なくとも一つのカメラを有し、ウェアラブル機器が取り付けられた被写体を撮影する。通信部は、ウェアラブル機器と通信する。制御部は、カメラ部に静止画を撮影させる、あるいはカメラ部で撮影される動画の一部を静止画として扱う静止画処理を行う。制御部は、被写体に関する情報が所定の条件を満たす場合にウェアラブル機器から送信される、静止画処理の実行を指示する実行指示を、カメラ部での動画撮影中に通信部が受信した場合、静止画処理を行う。
【０００８】
また、一の実施の形態では、電子機器は、カメラ部、通信部及び制御部を備える。カメラ部は、少なくとも一つのカメラを有し、ウェアラブル機器が取り付けられた被写体を撮影する。通信部は、ウェアラブル機器と通信する。制御部は、カメラ部に静止画を撮影させる、あるいはカメラ部で撮影される動画の一部を静止画として扱う静止画処理を行う。制御部は、カメラ部での動画撮影中に通信部が受信する、ウェアラブル機器から送信される被写体に関する情報が、所定の条件を満たすか否かを判定する。制御部は、被写体に関する情報が所定の条件を満たすと判定する場合、静止画処理を行う。
【０００９】
また、一の実施の形態では、電子機器システムは、電子機器及びウェアラブル機器を備える。電子機器は、カメラ部、第１通信部及び第１制御部を有する。カメラ部は、少なくとも一つのカメラを有し、ウェアラブル機器が取り付けられた被写体を撮影する。第１通信部はウェアラブル機器と通信する。第１制御部は、カメラ部に静止画を撮影させる、あるいはカメラ部で撮影される動画の一部を静止画として扱う静止画処理を行う。ウェラブル機器は、第２通信部、検出部及び第２制御部を有する。第２通信部は電子機器と通信する。検出部は被写体に関する情報を検出する。第２制御部は被写体に関する情報が所定の条件を満たすか否かを判定する。第２制御部は、被写体に関する情報が所定の条件を満たすと判定する場合、静止画処理の実行を指示する実行指示を第２通信部に送信させる。第１制御部は、カメラ部での動画撮影中に第１通信部が実行指示を受信した場合、静止画処理を行う。
【００１０】
また、一の実施の形態では、電子機器システムは、電子機器及びウェアラブル機器を備える。ウェラブル機器は、第１通信部、検出部及び第１制御部を有する。第１通信部は電子機器と通信する。検出部は被写体に関する情報を検出する。第１制御部は被写体に関する情報を第１通信部に送信させる。電子機器は、カメラ部、第２通信部及び第２制御部を有する。カメラ部は、少なくとも一つのカメラを有し、ウェアラブル機器が取り付けられた被写体を撮影する。第２通信部はウェアラブル機器と通信する。第２制御部は、カメラ部での動画撮影中に第２通信部が受信する被写体に関する情報が所定の条件を満たすか否かを判定する。第２制御部は、被写体に関する情報が所定の条件を満たすと判定する場合、カメラ部に静止画を撮影させる、あるいはカメラ部で撮影される動画の一部を静止画として扱う静止画処理を行う。
【００１１】
また、一の実施の形態では、ウェアラブル機器は、静止画を撮影する、あるいは撮影する動画の一部を静止画として扱う静止画処理を行う電子機器が撮影する被写体に取り付けられる。ウェアラブル機器は、通信部、検出部及び制御部を備える。通信部は、電子機器と通信する。検出部は、被写体に関する情報を検出する。制御部は、被写体に関する情報が所定の条件を満たすか否かを判定する。制御部は、被写体に関する情報が所定の条件を満たすと判定する場合、静止画処理の実行を指示する実行指示を通信部に送信させる。
【００１２】
また、一の実施の形態では、制御プログラムは、少なくとも一つのカメラを有するカメラ部を備え、ウェアラブル機器が取り付けられた被写体を当該カメラ部で撮影し、静止画を撮影する、あるいは撮影する動画の一部を静止画として扱う静止画処理を行う電子機器を制御するための制御プログラムである。制御プログラムは、電子機器に、被写体に関する情報が所定の条件を満たす場合にウェアラブル機器から送信される、静止画処理の実行を指示する実行指示を、カメラ部での動画撮影中に受信した場合、静止画処理を行う工程を実行させるためのものである。
【００１３】
また、一の実施の形態では、制御プログラムは、少なくとも一つのカメラを有するカメラ部を備え、ウェアラブル機器が取り付けられた被写体を当該カメラ部で撮影する電子機器を制御するための制御プログラムである。制御プログラムは、電子機器に、カメラ部での動画撮影中に受信する、ウェアラブル機器から送信される被写体に関する情報が所定の条件を満たすか否かを判定する工程と、被写体に関する情報が所定の条件を満たすと判定される場合、カメラ部に静止画を撮影させる、あるいはカメラ部で撮影される動画の一部を静止画として扱う静止画処理を行う工程とを実行させるためのものである。
【００１４】
また、一の実施の形態では、制御プログラムは、静止画を撮影する、あるいは撮影する動画の一部を静止画として扱う静止画処理を行う電子機器が撮影する被写体に取り付けられ、当該被写体に関する情報を検出するウェアラブル機器を制御するための制御プログラムである。制御プログラムは、ウェアラブル機器に、被写体に関する情報が所定の条件を満たすか否かを判定する工程と、被写体に関する情報が所定の条件を満たすと判定される場合、静止画処理の実行を指示する実行指示を送信する工程とを実行させるためのものである。
【００１５】
また、一の実施の形態では、静止画取得方法は、少なくとも一つのカメラを有するカメラ部を備え、ウェアラブル機器が取り付けられた被写体を当該カメラ部で撮影し、静止画を撮影する、あるいは撮影する動画の一部を静止画として扱う静止画処理を行う電子機器での静止画取得方法である。静止画取得方法は、被写体に関する情報が所定の条件を満たす場合にウェアラブル機器から送信される、静止画処理の実行を指示する実行指示を、カメラ部での動画撮影中に受信した場合、静止画処理を行う工程を備える。
【００１６】
また、一の実施の形態では、静止画取得方法は、少なくとも一つのカメラを有するカメラ部を備え、ウェアラブル機器が取り付けられた被写体を当該カメラ部で撮影する電子機器での静止画取得方法である。静止画取得方法は、カメラ部での動画撮影中に受信する、ウェアラブル機器から送信される被写体に関する情報が所定の条件を満たすか否かを判定する工程と、被写体に関する情報が所定の条件を満たすと判定される場合、カメラ部に静止画を撮影させる、あるいはカメラ部で撮影される動画の一部を静止画として扱う静止画処理を行う工程とを備える。
【００１７】
また、一の実施の形態では、ウェアラブル機器の動作方法は、静止画を撮影する、あるいは撮影する動画の一部を静止画として扱う静止画処理を行う電子機器が撮影する被写体に取り付けられ、当該被写体に関する情報を検出するウェアラブル機器の動作方法である。ウェアラブル機器の動作方法は、被写体に関する情報が所定の条件を満たすか否かを判定する工程と、被写体に関する情報が所定の条件を満たすと判定される場合、静止画処理の実行を指示する実行指示を送信する工程とを備える。
【発明の効果】
【００１８】
所望の状態の被写体が写る静止画を自動的に得ることができる。
【図面の簡単な説明】
【００１９】
【図１】電子機器システムの構成の一例を示す図である。
【図２】電子機器が、ウェアラブル機器が取り付けられた被写体を撮影する様子の一例を示す図である。
【図３】電子機器の外観の一例を示す斜視図である。
【図４】電子機器の外観の一例を示す背面図である。
【図５】電子機器の構成の一例を示す図である。
【図６】ウェアラブル機器の構成の一例を示す図である。
【図７】プロセッサの機能ブロックの一例を示す図である。
【図８】電子機器の動作の一例を示すフローチャートである。
【図９】ウェアラブル機器の動作の一例を示すフローチャートである。
【図１０】電子機器の動作の一例を示すフローチャートである。
【図１１】ウェアラブル機器の動作の一例を示すフローチャートである。
【図１２】電子機器の動作の一例を示すフローチャートである。
【図１３】プロセッサの機能ブロックの一例を示す図である。
【図１４】ウェアラブル機器の動作の一例を示すフローチャートである。
【図１５】電子機器の動作の一例を示すフローチャートである。
【図１６】電子機器の動作の一例を示すフローチャートである。
【図１７】電子機器の外観の一例を示す背面図である。
【図１８】電子機器の構成の一例を示す図である。
【図１９】電子機器の構成の一例を示す図である。
【図２０】ウェアラブル機器の構成の一例を示す図である。
【図２１】ウェアラブル機器の動作の一例を示すフローチャートである。
【図２２】電子機器の動作の一例を示すフローチャートである。
【図２３】電子機器の動作の一例を示すフローチャートである。
【図２４】ウェアラブル機器の動作の一例を示すフローチャートである。
【図２５】電子機器の動作の一例を示すフローチャートである。
【図２６】電子機器の動作の一例を示すフローチャートである。
【発明を実施するための形態】
【００２０】
＜電子機器システムの概要＞
図１は電子機器システム６０の構成の一例を示す図である。電子機器システム６０は、互いに通信可能な電子機器１及びウェアラブル機器５０を備えている。電子機器１は、例えば、スマートフォン等の携帯電話機である。ウェアラブル機器５０は、電子機器１が撮影する被写体に取り付けられる。
【００２１】
図２は、電子機器１が、ウェアラブル機器５０が取り付けられた被写体７０を撮影する様子の一例を示す図である。被写体７０は例えば人である。ウェアラブル機器５０は、例えば、ヘッドバンド型のウェアラブル機器であって、被写体７０の頭に取り付けられる。電子機器１のユーザ８０は、電子機器１を操作して、ウェアラブル機器５０が取り付けられた被写体７０を電子機器１に撮影させる。図２には、電子機器１が、走っている被写体７０を撮影する様子が示されている。なお、被写体７０においてウェアラブル機器５０が取り付けられる場所は、頭以外であってよい。また被写体７０は人以外であってもよい。
【００２２】
＜電子機器の外観＞
図３及び図４はそれぞれ電子機器１の外観の一例を示す斜視図及び背面図である。図３及び図４に示されるように、電子機器１は、平面視で略長方形の板状の機器ケース１０を備えている。機器ケース１０は電子機器１の外装を構成している。電子機器１の前面１ａ、つまり機器ケース１０の前面には、文字、記号、図形等の各種情報が表示される表示領域１１が設けられている。表示領域１１の背面側には後述するタッチパネル１４０が設けられている。これにより、ユーザは、表示領域１１を指等で操作することによって、電子機器１に対して各種情報を入力することができる。なお、ユーザは、指以外の操作子、例えば、スタイラスペンなどのタッチパネル用ペンで表示領域１１を操作することによっても、電子機器１に対して各種情報を入力することができる。
【００２３】
電子機器１の前面１ａ（機器ケース１０の前面）の上側端部にはレシーバ穴１２が設けられている。電子機器１の前面１ａの下側端部にはスピーカ穴１３が設けられている。電子機器１の下側の側面１ｃにはマイク穴１４が設けられている。
【００２４】
電子機器１の前面１ａの上側端部からは、後述する第１カメラ１９０が有するレンズ１９１が視認可能となっている。図２に示されるように、電子機器１の背面１ｂの上側端部からは、後述する第２カメラ２００が有するレンズ２０１が視認可能となっている。
【００２５】
電子機器１の前面１ａの下側端部には、複数の操作ボタン１５，１６，１７から成る操作ボタン群１８が設けられている。操作ボタン１５，１６，１７のそれぞれはハードウェアボタンである。操作ボタン１５，１６，１７のそれぞれは例えば押しボタンである。なお、操作ボタン１５，１６，１７は、表示領域１１に表示されるソフトウェアボタンであってもよい。
【００２６】
操作ボタン１５は、例えばバックボタンである。バックボタンは、表示領域１１の表示を一つ前の表示に切り替えるための操作ボタンである。ユーザが操作ボタン１５を操作することよって、表示領域１１の表示が一つ前の表示に切り替わる。
【００２７】
操作ボタン１６は、例えばホームボタンである。ホームボタンは、表示領域１１にホーム画面を表示させるための操作ボタンである。ユーザが操作ボタン１６を操作することよって、表示領域１１にホーム画面が表示される。
【００２８】
操作ボタン１７は、例えば履歴ボタンである。履歴ボタンは、電子機器１で実行されたアプリケーションの履歴を表示領域１１に表示させるための操作ボタンである。ユーザが操作ボタン１７を操作することよって、表示領域１１には、電子機器１で実行されたアプリケーションの履歴が表示される。
【００２９】
＜電子機器の電気的構成＞
図５は電子機器１の電気的構成の一例を示すブロック図である。図５に示されるように、電子機器１は、制御部１００、無線通信部１１０、表示部１２０、タッチパネル１４０、操作ボタン群１８及び記憶部１５０を備えている。さらに電子機器１は、レシーバ１６０、スピーカ１７０、マイク１８０、第１カメラ１９０、第２カメラ２００、無線通信部２１０及び電池２２０を備えている。電子機器１が備えるこれらの構成要素は、機器ケース１０内に収められている。
【００３０】
制御部１００は、電子機器１の他の構成要素を制御することによって、電子機器１の動作を統括的に管理することが可能である。制御部１００は、一種の演算処理装置であって、一種の電気回路でもある。制御部１００は、以下に詳細に述べられるように、種々の機能を実行するための制御及び処理能力を提供するために、少なくとも一つのプロセッサを含む。種々の実施の形態によれば、少なくとも一つのプロセッサは、単一の集積回路（ＩＣ）として、又は複数の通信可能に接続されたＩＣ及び／又はディスクリート回路として実装されてもよい。少なくとも一つのプロセッサは、種々の既知の技術に従って実装されることが可能である。
【００３１】
ある実施の形態において、プロセッサは、１以上のデータ計算手続又は処理を実行するために構成された１以上の回路又はユニットを含む。例えば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイスもしくは構成の任意の組み合わせ、又は他の既知のデバイスおよび構成の組み合わせを含み、以下に説明される機能を実行してもよい。
【００３２】
本例では、制御部１００は、例えば複数のプロセッサを備えている。具体的には、制御部１００は、ＣＰＵ（Central Processing Unit）１０１及びＤＳＰ（Digital Signal Processor）１０２を備えている。
【００３３】
記憶部１５０は、ＲＡＭ（Random Access Memory）などの揮発性メモリ１５１と、フラッシュＲＯＭ（Read Only Memory）などの不揮発性メモリ１５２とを備えている。記憶部１５０は記憶回路とも呼ばれる。揮発性メモリ１５１及び不揮発性メモリ１５２のそれぞれは、ＣＰＵ１０１及びＤＳＰ１０２が読み取り可能な非一時的な記録媒体である。不揮発性メモリ１５２には、電子機器１を制御するための複数の制御プログラム１５２ａが記憶されている。制御部１００の各種機能は、ＣＰＵ１０１及びＤＳＰ１０２が記憶部１５０内の各種制御プログラム１５２ａを実行することによって実現される。
【００３４】
なお、制御部１００の全ての機能あるいは制御部１００の一部の機能は、その機能の実現にソフトウェアが不要なハードウェア回路によって実現されてもよい。また、記憶部１５０は、ＲＯＭ及びＲＡＭ以外の、コンピュータが読み取り可能な非一時的な記録媒体を備えてもよい。記憶部１５０は、例えば、小型のハードディスクドライブ及びＳＳＤ（Solid State Drive）などを備えてもよい。
【００３５】
記憶部１５０内の複数の制御プログラム１５２ａには、様々なアプリケーション（アプリケーションプログラム）が含まれている。記憶部１５０には、例えば、音声通話を行うための通話アプリケーション、ウェブサイトを表示するためのブラウザ、電子メールの作成、閲覧及び送受信を行うためのメールアプリケーションが記憶されている。また記憶部１５０には、第１カメラ１９０及び第２カメラ２００を利用して被写体を撮影するためのカメラアプリケーション、動画を再生するための再生アプリケーション、地図を表示するための地図表示アプリケーションなどが記憶されている。記憶部１５０内の少なくとも一つのアプリケーションは、記憶部１５０内にあらかじめ記憶されているものであってよい。また、記憶部１５０内の少なくとも一つのアプリケーションは、電子機器１が他の装置からダウンロードして記憶部１５０内に記憶したものであってよい。
【００３６】
無線通信部１１０は、アンテナ１１１を有している。無線通信部１１０は無線通信回路とも呼ばれる。無線通信部１１０は、アンテナ１１１を用いて、制御部１００による制御によって無線通信を行うことが可能である。無線通信部１１０は、例えば、ＬＴＥ（Long Term Evolution）あるいはＣＤＭＡ（Code Division Multiple Access）等に準拠して無線通信を行うことが可能である。無線通信部１１０の通信方式は、ＬＴＥ及びＣＤＭＡ以外の通信方式であってもよい。
【００３７】
無線通信部１１０は、電子機器１とは別の携帯電話機からの信号、あるいはインターネットに接続されたウェブサーバ等の通信装置からの信号を、基地局等を介してアンテナ１１１で受信することが可能である。無線通信部１１０は、受信信号に対して増幅処理及びダウンコンバートを行って制御部１００に出力することが可能である。制御部１００は、入力される受信信号に対して復調処理等を行って、当該受信信号に含まれるユーザデータ及び制御データ等を取得することが可能である。また無線通信部１１０は、制御部１００で生成された、ユーザデータ及び制御データ等を含む送信信号に対してアップコンバート及び増幅処理を行って、処理後の送信信号をアンテナ１１１から無線送信することが可能である。アンテナ１１１からの送信信号は、基地局等を通じて、電子機器１とは別の携帯電話機、あるいはインターネット等に接続された通信装置で受信される。
【００３８】
表示部１２０は、電子機器１の前面１ａに設けられた表示領域１１と、表示パネル１３０とを備えている。表示部１２０は、表示領域１１に各種情報を表示することが可能である。表示パネル１３０は、例えば、液晶表示パネルあるいは有機ＥＬパネルである。表示パネル１３０は、制御部１００によって制御されることによって、文字、記号及び図形などの各種情報を表示することが可能である。表示パネル１３０は、機器ケース１０内において、表示領域１１と対向して配置されている。表示パネル１３０に表示される情報は表示領域１１に表示される。
【００３９】
タッチパネル１４０は、表示領域１１に対する指等の操作子による操作を検出することが可能である。タッチパネル１４０は、例えば、投影型静電容量方式のタッチパネルであって、表示領域１１の裏側に配置されている。ユーザが指等の操作子によって表示領域１１に対して操作を行ったとき、その操作に応じた電気信号がタッチパネル１４０から制御部１００に入力される。制御部１００は、タッチパネル１４０からの電気信号に基づいて、表示領域１１に対して行われた操作の内容を特定して、その内容に応じた処理を行うことが可能である。
【００４０】
操作ボタン群１８の操作ボタン１５，１６，１７のそれぞれは、ユーザによって操作されると、操作されたことを示す操作信号を制御部１００に出力することが可能である。これにより、制御部１００は、操作ボタン１５，１６，１７のそれぞれについて、当該操作ボタンが操作されたか否かを判断することができる。操作信号が入力された制御部１００が他の構成要素を制御することによって、電子機器１では、操作された操作ボタンに割り当てられている上述の機能が実行される。
【００４１】
マイク１８０は、電子機器１の外部から入力される音を電気的な音信号に変換して制御部１００に出力することが可能である。電子機器１の外部からの音は、マイク穴１４から電子機器１の内部に取り込まれてマイク１８０に入力される。
【００４２】
スピーカ１７０は、例えばダイナミックスピーカである。スピーカ１７０は、制御部１００からの電気的な音信号を音に変換して出力することが可能である。スピーカ１７０から出力される音はスピーカ穴１３から外部に出力される。スピーカ穴１３から出力される音は、電子機器１から離れた場所でも聞こえるようになっている。
【００４３】
レシーバ１６０は受話音を出力することが可能である。レシーバ１６０は例えばダイナミックスピーカで構成されている。レシーバ１６０は、制御部１００からの電気的な音信号を音に変換して出力する。レシーバ１６０から出力される音はレシーバ穴１２から外部に出力される。レシーバ穴１２から出力される音の音量は、スピーカ穴１３から出力される音の音量よりも小さくなっている。レシーバ穴１２から出力される音は、当該レシーバ穴１２に耳を近づけた場合に聞こえるようになっている。なお、レシーバ１６０の代わりに、機器ケース１０の前面部分を振動させる、圧電振動素子等の振動素子を設けて、当該前面部分から音をユーザに伝えてもよい。
【００４４】
第１カメラ１９０は、レンズ１９１及び撮像素子などを備えている。第２カメラ２００は、レンズ２０１及び撮像素子などを備えている。第１カメラ１９０及び第２カメラ２００のそれぞれは、制御部１００による制御に基づいて静止画あるいは動画を撮影して制御部１００に出力することが可能である。
【００４５】
第１カメラ１９０のレンズ１９１は、電子機器１の前面１ａから視認可能となっている。したがって、第１カメラ１９０は、電子機器１の前面１ａ側（表示領域１１側）に存在する被写体を撮影することが可能である。第２カメラ２００のレンズ２０１は、電子機器１の背面１ｂから視認可能となっている。したがって、第２カメラ２００は、電子機器１の背面１ｂ側に存在する被写体を撮影することが可能である。
【００４６】
以後、第１カメラ１９０を「インカメラ１９０」と呼び、第２カメラ２００を「アウトカメラ２００」と呼ぶことがある。また、インカメラ１９０及びアウトカメラ２００を特に区別する必要がないときには、それぞれを単に「カメラ」と呼ぶことがある。上述の図２には、アウトカメラ２００が被写体７０を撮影している様子が示されている。
【００４７】
電子機器１は、各カメラについてのズーム機能を有している。つまり、電子機器１は、インカメラ１９０の撮影範囲をズームするインカメラズーム機能と、アウトカメラ２００の撮影範囲をズームするアウトカメラズーム機能とを有している。ユーザは、表示領域１１を操作することによって、インカメラ１９０及びアウトカメラ２００のそれぞれが撮影する静止画及び動画の画素数を設定することができる。
【００４８】
無線通信部２１０は、アンテナ２１１を有している。無線通信部２１０は無線通信回路とも呼ばれる。無線通信部２１０は、アンテナ２１１を用いて、制御部１００による制御によってウェアラブル機器５０と無線通信を行うことが可能である。無線通信部２１０は、例えば近距離無線通信を行うことが可能である。無線通信部２１０の通信エリアは、無線通信部１１０の通信エリアよりも狭くなっている。無線通信部２１０は、例えば、ＷｉＦｉ、Ｂｌｕｅｔｏｏｔｈ（登録商標）あるいはＺｉｇＢｅｅ（登録商標）等に準拠して無線通信を行うことが可能である。無線通信部２１０の通信方式は、ＷｉＦｉ、Ｂｌｕｅｔｏｏｔｈ及びＺｉｇＢｅｅ以外の通信方式であってもよい。
【００４９】
電池２２０は電子機器１の電源を出力することが可能である。電池２２０は例えば充電式の電池である。電池２２０から出力される電源は、電子機器１が備える制御部１００及び無線通信部１１０などの各種構成に対して供給される。
【００５０】
＜ウェアラブル機器の電気的構成＞
図６はウェアラブル機器５０の電気的構成の一例を示すブロック図である。図６に示されるように、ウェアラブル機器５０は、少なくとも一つのプロセッサ５００と、無線通信部５１０と、記憶部５２０と、加速度センサ５３０と、電池５４０とを備えている。
【００５１】
少なくとも一つのプロセッサ５００は、ウェアラブル機器５０の他の構成要素を制御することによって、ウェアラブル機器５０の動作を統括的に管理することが可能である。少なくとも一つのプロセッサ５００は、一種の演算処理装置であって、一種の電気回路でもある。ウェアラブル機器５０は、以下に詳細に述べられるように、種々の機能を実行するための制御及び処理能力を提供するために、少なくとも一つのプロセッサ５００を含む。種々の実施の形態によれば、少なくとも一つのプロセッサ５００は、単一の集積回路（ＩＣ）として、又は複数の通信可能に接続されたＩＣ及び／又はディスクリート回路として実装されてもよい。少なくとも一つのプロセッサ５００は、種々の既知の技術に従って実装されることが可能である。
【００５２】
ある実施の形態において、プロセッサ５００は、１以上のデータ計算手続又は処理を実行するために構成された１以上の回路又はユニットを含む。例えば、プロセッサ５００は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイスもしくは構成の任意の組み合わせ、又は他の既知のデバイスおよび構成の組み合わせを含み、以下に説明される機能を実行してもよい。
【００５３】
本例では、ウェアラブル機器５０は、例えば一つのプロセッサ５００を備えている。プロセッサ５００は、例えばＣＰＵである。ウェアラブル機器５０は、複数のプロセッサを備えてもよい。
【００５４】
記憶部５２０は、ＲＡＭなどの揮発性メモリ５２１と、フラッシュＲＯＭなどの不揮発性メモリ５２２とを備えている。記憶部５２０は記憶回路とも呼ばれる。揮発性メモリ５２１及び不揮発性メモリ５２２のそれぞれは、プロセッサ５００が読み取り可能な非一時的な記録媒体である。不揮発性メモリ５２２には、ウェアラブル機器５０を制御するための少なくとも一つの制御プログラム５２２ａが記憶されている。プロセッサ５００の各種機能は、プロセッサ５００が記憶部５２０内の少なくも一つの制御プログラム５２２ａを実行することによって実現される。
【００５５】
なお、プロセッサ５００の全ての機能あるいはプロセッサ５００の一部の機能は、その機能の実現にソフトウェアが不要なハードウェア回路によって実現されてもよい。また、記憶部５２０は、ＲＯＭ及びＲＡＭ以外の、コンピュータが読み取り可能な非一時的な記録媒体を備えてもよい。記憶部５２０は、例えば、小型のハードディスクドライブ及びＳＳＤなどを備えてもよい。
【００５６】
無線通信部５１０は、アンテナ５１１を有している。無線通信部５１０は無線通信回路とも呼ばれる。無線通信部５１０は、アンテナ５１１を用いて、プロセッサ５００による制御によって電子機器１の無線通信部２１０と無線通信を行うことが可能である。無線通信部５１０は、例えば近距離無線通信を行うことが可能である。無線通信部５１０は、例えば、ＷｉＦｉ、ＢｌｕｅｔｏｏｔｈあるいはＺｉｇＢｅｅ等に準拠して無線通信を行うことが可能である。無線通信部５１０の通信方式は、ＷｉＦｉ、Ｂｌｕｅｔｏｏｔｈ及びＺｉｇＢｅｅ以外の通信方式であってもよい。
【００５７】
加速度センサ５３０は、ウェアラブル機器５０の加速度を検出することが可能である。ウェアラブル機器５０の加速度は、ウェアラブル機器５０が取り付けられる被写体７０の加速度と見ることができることから、加速度センサ５３０は、被写体７０の加速度を検出することが可能であるといえる。
【００５８】
電池５４０はウェアラブル機器５０の電源を出力することが可能である。電池５４０は例えば充電式の電池である。電池５４０から出力される電源は、ウェアラブル機器５０が備えるプロセッサ５００及び無線通信部５１０等に供給される。
【００５９】
＜ウェアラブル機器のプロセッサの機能ブロック＞
図７は、プロセッサ５００が少なくとも一つの制御プログラム５２２ａを実行することにより、プロセッサ５００に形成される機能ブロックの一例を示す図である。プロセッサ５００は、機能ブロックとして、速さ算出部５０１、判定部５０２及び通信制御部５０３を備えている。
【００６０】
速さ算出部５０１は、加速度センサ５３０で検出される加速度に基づいて、ウェアラブル機器５０が取り付けられる被写体７０の速さを算出することが可能である。
【００６１】
ウェアラブル機器５０は、被写体７０に関する情報（以後、「被写体関連情報」と呼ぶ）を検出する情報検出部５５０を備えている。被写体関連情報は、例えば、被写体７０の速さである。本例では、加速度センサ５３０及び速さ算出部５０１によって、被写体７０の速さを検出する情報検出部５５０が構成されている。
【００６２】
判定部５０２は、情報検出部５５０で検出される被写体関連情報が所定の条件を満たすか否かを判定する。本例では、判定部５０２は、情報検出部５５０で検出される被写体７０の速さが所定の条件を満たすか否かを判定する。この所定の条件については後で詳細に説明する。
【００６３】
通信制御部５０３は、無線通信部５１０を制御する。通信制御部５０３は、判定部５０２において、被写体関連情報が所定の条件を満たすと判定されると、無線通信部５１０に、静止画処理の実行を指示する実行指示を送信させる。無線通信部５１０から送信される実行指示は、電子機器１の無線通信部２１０で受信される。
【００６４】
ここで、静止画処理とは、電子機器１が、静止画を撮影する、あるいは撮影する動画の一部を静止画として扱う処理である。後述するように、電子機器１は、ウェアラブル機器５０からの実行指示を受信すると、静止画処理を実行する。
【００６５】
＜動画撮影時の電子機器システムの動作＞
電子機器システム６０では、電子機器１で動画が撮影されている場合に、電子機器１とウェアラブル機器５０とが通信を行うことによって、電子機器１では、ユーザ８０からの指示なく、静止画が自動的に得られる。以下に、この電子機器システム６０の動作について説明する。以後、電子機器１が撮影で使用するカメラを「使用カメラ」と呼ぶことがある。
【００６６】
図８は電子機器１が動画撮影を開始する際の当該電子機器１の動作の一例を示すフローチャートである。図８に示されるように、ステップｓ１において、制御部１００は、タッチパネル１４０が、カメラアプリケーションの実行を指示する実行指示操作を検出すると、ステップｓ２において、記憶部１５０内のカメラアプリケーションを読み出して実行する。カメラアプリケーションが実行されると、ステップｓ３において、制御部１００は、使用カメラに動画の撮影を開始させる。ユーザは、表示領域１１を操作することによって、使用カメラを、インカメラ１９０にするのか、アウトカメラ２００にするのかを電子機器１に対して指示することができる。
【００６７】
ステップｓ３の後、ステップｓ４において、表示部１２０は、制御部１００による制御によって、使用カメラで撮影されるスルー画像を表示する。スルー画像は、使用カメラの撮影範囲内の被写体を、ユーザがリアルタイムに確認するための動画である。スルー画像は、ライブビュー画像あるいはプレビュー画像とも呼ばれる。使用カメラで撮影される動画は、揮発性メモリ１５１に一時的に記憶される。制御部１００は、揮発性メモリ１５１から動画を読み出して、それをスルー画像として表示部１２０に表示させる。
【００６８】
次にステップｓ５において、使用カメラで撮影される動画の保存を開始することを指示する保存開始指示操作をタッチパネル１４０が検出すると、ステップｓ６において、制御部１００は、使用カメラで撮影される動画を、不揮発性メモリ１５２に保存することを開始する。また、制御部１００は、不揮発性メモリ１５２に保存される動画を、表示部１２０に表示させる。保存開始指示操作は、不揮発性メモリ１５２に保存される動画の撮影開始を指示する撮影開始操作とも言える。保存開始指示操作として、例えば、表示部１２０に表示されるボタンに対する操作（例えばタップ操作）が採用される。このボタンは、携帯電話機及びデジタルカメラ等では、撮影開始ボタンと呼ばれることがある。以後、スルー画像とは異なり、不揮発性メモリ１５２に保存される、使用カメラで撮影される動画を「保存対象動画」と呼ぶことがある。
【００６９】
ステップｓ６の後、ステップｓ７において、制御部１００は、ウェアラブル機器５０に動作の開始を指示する動作開始指示を無線通信部２１０に送信させる。
【００７０】
その後、ステップｓ８において、無線通信部２１０が、ウェアラブル機器５０から静止画処理の実行指示を受信すると、ステップｓ９において、制御部１００は、静止画処理を行う。ステップｓ９での処理は後で詳細に説明する。
【００７１】
図９は、ウェアラブル機器５０が電子機器１から動作開始指示を受信する際の当該ウェアラブル機器５０の動作の一例を示すフローチャートである。図９に示されるように、ステップｓ５０１において、無線通信部５１０が電子機器１から動作開始指示を受信すると、ステップｓ５０２において、情報検出部５５０は被写体関連情報の検出を開始する。ステップｓ５０２では、加速度センサ５３０の動作が開始し、速さ算出部５０１が、加速度センサ５３０で検出される加速度に基づいて、被写体７０の速さを求める。被写体関連情報の検出が開始すると、情報検出部５５０は被写体関連情報を継続的に検出する。
【００７２】
被写体関連情報の検出が開始すると、ステップｓ５０３において、判定部５０２は、被写体関連情報が所定の条件を満たすか否かを判定する。判定部５０２は、被写体関連情報が所定の条件を満たすと判定するまで、ステップｓ５０３を繰り返し実行する。
【００７３】
ステップｓ５０３での所定の条件は、例えば、被写体７０の速さが急激に大きくなるという条件である。この場合、ステップｓ５０３において、判定部５０２は、被写体７０の速さが急激に大きくなったか否かを判定する。判定部５０２は、例えば、速さ算出部５０１で求められた被写体７０の最新の速さから、それよりも少し前に求められた被写体７０の速さ（例えば直前に求められた被写体７０の速さ）を差し引いた差分値を求める。そして、判定部５０２は、求めた差分値が、正の所定のしきい値よりも大きければ、被写体７０の速さが急激に大きくなったと判定する。つまり、判定部５０２は、被写体７０の速さが所定の条件を満たすと判定する。一方で、判定部５０２は、求めた差分値が所定のしきい値以下であれば、被写体７０の速さが所定の条件を満たさないと判定する。被写体７０の速さが急激に大きくなったか否かを判定する方法はこの限りではない。
【００７４】
ステップｓ５０３において、被写体関連情報が所定の条件を満たすと判定されると、通信制御部５０３は、ステップｓ５０４において、無線通信部５１０に、静止画処理の実行を指示する実行指示を送信させる。その後、ステップｓ５０３が再度実行され、被写体関連情報が所定の条件を満たすか否かが判定される。ウェアラブル機器５０は、後述する動作終了指示を電子機器１から受信するまで、ステップｓ５０３，ｓ５０４を繰り返し実行する。
【００７５】
電子機器１は、上述のステップｓ８において、ウェアラブル機器５０からの実行指示を受信すると、ステップｓ９において静止画処理を行う。電子機器１は、ウェアラブル機器５０から実行指示を受信するたびに（ステップｓ８）、静止画処理を実行する（ステップｓ９）。
【００７６】
制御部１００は、静止画処理において、例えば、保存対象動画を撮影している使用カメラに動画撮影を中断させて静止画を撮影させる。制御部１００は、使用カメラで撮影された静止画を不揮発性メモリ１５２に保存する。制御部１００は、使用カメラが静止画の撮影を終了すると、使用カメラに保存対象動画の撮影を再開させる。静止画処理において、制御部１００は、使用カメラに、静止画を１枚だけ撮影させてもよいし、複数枚の静止画を撮影させてもよい。
【００７７】
また制御部１００は、静止画処理において、使用カメラが撮影する保存対象動画の一部を静止画として扱ってもよい。例えば、制御部１００は、無線通信部２１０がウェアラブル機器５０からの実行指示を受信すると、そのときに使用カメラが撮影するフレーム画像を静止画として不揮発性メモリ１５２に保存する。静止画処理において、使用カメラが撮影する保存対象動画の一部が静止画として扱われる場合には、使用カメラでの動画撮影は中断しない。静止画処理において、制御部１００は、使用カメラが撮影するフレーム画像を１枚だけ静止画として不揮発性メモリ１５２に保存してもよいし、使用カメラが撮影する複数枚のフレーム画像のそれぞれを静止画として不揮発性メモリ１５２に保存してもよい。
【００７８】
被写体関連情報が所定の条件を満たす場合、静止画処理が実行されることから、以後、当該所定の条件を「実行条件」と呼ぶことがある。
【００７９】
図１０は、電子機器１が使用カメラで撮影される動画の保存を終了する際の当該電子機器１の動作を示すフローチャートである。図１０に示されるように、ステップｓ１１において、タッチパネル１４０が、使用カメラで撮影される動画の保存を終了することを指示する保存終了指示操作を検出すると、ステップｓ１２において、制御部１００は、使用カメラで撮影される動画の不揮発性メモリ１５２への保存を終了する。保存終了指示操作は、不揮発性メモリ１５２に保存される動画の撮影の終了を指示する撮影終了操作とも言える。保存終了指示操作として、例えば、表示部１２０に表示されるボタンに対する操作（例えばタップ操作）が採用される。このボタンは、携帯電話機及びデジタルカメラ等では、撮影終了ボタンと呼ばれることがある。
【００８０】
ステップｓ１２の後、制御部１００は、ステップｓ１３において、ウェアラブル機器５０に動作の終了を指示する動作終了指示を無線通信部２１０に送信させる。
【００８１】
ステップｓ１３の後、ステップｓ１４において、制御部１００は、静止画処理で得られた静止画を不揮発性メモリ１５２から読み出して表示部１２０に表示させる。その後、ステップｓ１５において、制御部１００は、静止画の表示の終了を指示する表示終了指示操作をタッチパネル１４０が検出すると、ステップｓ１６において、使用カメラで撮影されるスルー画像を表示部１２０に表示させる。その後、保存開始指示操作をタッチパネル１４０が検出すると（ステップｓ５）、電子機器１ではステップｓ６が実行され、以後電子機器１は同様に動作する。
【００８２】
なお制御部１００は、不揮発性メモリ１５２から読み出した静止画を表示部１２０に一定時間表示させた後、使用カメラで撮影されるスルー画像を表示部１２０に表示させてもよい。
【００８３】
図１１は、ウェアラブル機器５０が電子機器１から動作終了指示を受信する際の当該ウェアラブル機器５０の動作の一例を示すフローチャートである。図１１に示されるように、ステップｓ５１１において、無線通信部５１０が電子機器１から動作終了指示を受信すると、ステップｓ５１２において、情報検出部５５０は被写体関連情報の検出を終了する。ステップｓ５１２では、加速度センサ５３０の動作が停止する。その後、ウェアラブル機器５０は、電子機器１から動作開始指示を受信すると（ステップｓ５０１）、ステップｓ５０２を実行し、以後同様に動作する。
【００８４】
なおウェアラブル機器５０は、上記の例とは異なり、電子機器１からの指示なく、被写体関連情報を常に継続的に検出してもよい。この場合、電子機器１は、使用カメラで保存対象動画を撮影していないときに実行指示を受信したとしても静止画処理を実行しない。上記の例のように、ウェアラブル機器５０が、動作開始指示を受信すると被写体関連情報の検出を開始し、動作終了指示を受信すると被写体関連情報の検出を終了する場合は、ウェアラブル機器５０の消費電力を低減することができる。
【００８５】
また上記の例では、保存対象動画の撮影時に静止画処理が実行されているが、スルー画像の撮影時に静止画処理が実行されてもよい。図１２はこの場合の電子機器１の動作の一例を示すフローチャートである。
【００８６】
図１２に示されるように、上述のステップｓ１〜ｓ４が実行されると、ステップｓ２１において、制御部１００は、動作開始指示を無線通信部２１０に送信させる。ウェアラブル機器５０は、動作開始指示を受信すると、上記と同様に動作する。
【００８７】
その後、ステップｓ２２において、無線通信部２１０が、ウェアラブル機器５０から実行指示を受信すると、ステップｓ２３において、制御部１００は、静止画処理を実行する。そして、ステップｓ２４において、制御部１００は、静止画処理で得られた静止画を不揮発性メモリ１５２から読み出して、スルー画像の替りに表示部１２０に表示させる。その後、ステップｓ２５において、制御部１００は、静止画の表示の終了を指示する表示終了指示操作をタッチパネル１４０が検出すると、ステップｓ２６において、使用カメラで撮影されるスルー画像を静止画の替りに表示部１２０に表示させる。電子機器１は、実行指示を受信するたびに（ステップｓ２２）、ステップｓ２３〜ｓ２６を実行する。電子機器１は、スルー画像を表示する間は、ステップｓ２２〜ｓ２６を繰り返し実行する。
【００８８】
なお、制御部１００は、不揮発性メモリ１５２から読み出した静止画をスルー画像の替りに表示部１２０に一定時間表示させた後、使用カメラで撮影されるスルー画像を静止画の替りに表示部１２０に表示させてもよい。また、制御部１００は、不揮発性メモリ１５２から読み出した静止画をスルー画像に重ねて表示部１２０に表示させてもよい。
【００８９】
スルー画像の撮影時に静止画処理が実行される場合には、保存開始指示操作をタッチパネル１４０が検出したときには（ステップｓ５）、ステップｓ６の後にステップｓ７は実行されない。
【００９０】
以上のように、ウェアラブル機器５０は、被写体関連情報が実行条件を満たすと判定する場合、静止画処理の実行指示を電子機器１に送信する。そして、電子機器１は、カメラでの動画撮影中に無線通信部２１０が静止画処理の実行指示を受信する場合、静止画処理を行う。したがって、電子機器１では、被写体７０の動画を撮影しているときに、所望の状態の被写体７０が写る静止画を自動的に得ることができる。ウェアラブル機器５０が検出する被写体関連情報と実行条件とは、どのような状態の被写体７０の静止画を得ることが望まれるかに応じて決定される。
【００９１】
本例では、ウェアラブル機器５０は、被写体７０の速さが急激に大きくなると、静止画処理の実行指示を電子機器１に送信する。そのため、電子機器１では、被写体７０の動画を撮影しているときに、速さが急激に大きくなった被写体７０の静止画を得ることができる。例えば、図２に示されるように、電子機器１が走っている被写体７０を動画で撮影している場合に被写体７０の走る速さが急激に大きくなると、電子機器１では、そのときの被写体７０の静止画が得られる。具体的なシーンとしては、例えば、親が、子供の運動会において、ウェアラブル機器５０が頭あるいは胴体等に取り付けられた子供が走っている様子を電子機器１に動画撮影させている場合に、子供の走っている速さが急激に大きくなったとき、電子機器１では、そのときの子供の様子が写る静止画が自動的に得られる。
【００９２】
実行条件及び被写体関連情報を変更することによって、様々な状態の被写体７０の静止画を得ることができる。例えば、実行条件として、被写体７０の速さが零近くになるという条件を採用することを考える。この場合、例えば、ウェアラブル機器５０が頭あるいは胴体等に取り付けられたスノーボーダーが滑っている様子を電子機器１が動画撮影している場合に、スノーボーダーがジャンプして、そのジャンプの頂点で決めポーズを行ったとき、その様子が写る静止画を得ることができる。
【００９３】
また、ウェアラブル機器５０が被写体関連情報として被写体７０の加速度を検出し、実行条件として、被写体７０の加速度の大きさが急減に大きくなるという条件を採用することを考える。この場合、例えば、ウェアラブル機器５０が腕に取り付けられたバレーボール選手がジャンプしてアタックを打つ様子を電子機器１が動画撮影している場合に、バレーボール選手がアタックを打つ瞬間の様子が写る静止画を得ることができる。被写体関連情報として被写体７０の加速度が採用される場合には、ウェアラブル機器５０では、速さ算出部５０１が不要となり、加速度センサ５３０のみで情報検出部５５０が構成される。
【００９４】
なお、被写体関連情報及び実行条件は上記の例に限られない。また、被写体７０における、ウェアラブル機器５０の取り付け場所も上記の例に限られない。
【００９５】
＜各種変形例＞
以下に電子機器システム６０の各種変形例について説明する。
【００９６】
＜第１変形例＞
上記の例では、ウェアラブル機器５０が、被写体関連情報が実行条件を満たすか否かを判定していたが、電子機器１が被写体関連情報が実行条件を満たすか否かを判定してもよい。図１３は本変形例に係るウェアラブル機器５０のプロセッサ５００の機能ブロックの一例を示す図である。
【００９７】
図１３に示されるように、本変形例に係るプロセッサ５００は、上述の図７に示される構成とは異なり、判定部５０２を備えていない。本変形例では、速さ算出部５０１で速さが求められるたびに、通信制御部５０３が、求められた速さを無線通信部５１０に送信させる。言い換えれば、通信制御部５０３は、情報検出部５５０で被写体関連情報が検出されるたびに、検出された被写体関連情報を無線通信部５１０に送信させる。
【００９８】
図１４は本変形例に係るウェアラブル機器５０の動作の一例を示すフローチャートである。図１４に示されるように、ステップｓ５２１において、無線通信部５１０が電子機器１から動作開始指示を受信すると、ステップｓ５２２において、情報検出部５５０は上述のステップｓ５０２と同様に被写体関連情報の検出を開始する。
【００９９】
被写体関連情報の検出が開始すると、ステップｓ５２３において、無線通信部５１０は、通信制御部５０３による制御により、被写体関連情報の送信を開始する。無線通信部５１０は、情報検出部５５０で被写体関連情報が検出されるたびに、検出された被写体関連情報を電子機器１に送信する。
【０１００】
図１５は本変形例に係る電子機器１の動作の一例を示すフローチャートである。図１５に示されるように、電子機器１では、上述のステップｓ１〜ｓ７が実行される。その後、ステップｓ３１において、無線通信部２１０は、ウェアラブル機器５０から送信される被写体関連情報の受信を開始する。
【０１０１】
被写体関連情報の受信が開始すると、ステップｓ３２において、制御部１００は、被写体関連情報が実行条件を満たすか否かを判定する。制御部１００は、被写体関連情報が実行条件を満たすと判定するまで、ステップｓ３２を繰り返し実行する。
【０１０２】
制御部１００は、ステップｓ３２において、被写体関連情報が実行条件を満たすと判定すると、ステップｓ３３において静止画処理を実行する。その後、ステップｓ３２が再度実行され、被写体関連情報が実行条件を満たすか否かが判定される。電子機器１は、保存終了指示操作がタッチパネル１４０で検出されるまで、ステップｓ３２，ｓ３３を繰り返し実行する。
【０１０３】
なお、本変形例に係る電子機器１が使用カメラで撮影される動画の保存を終了する際の当該電子機器１の動作は、図１０に示される動作と同様である。また、本変形例に係るウェアラブル機器５０が電子機器１から動作終了指示を受信する際の当該ウェアラブル機器５０の動作は、図１１に示される動作と同様である。
【０１０４】
また上記と同様に、本変形例においても、スルー画像の撮影時に静止画処理が実行されてよい。図１６は、この場合の電子機器１の動作の一例を示すフローチャートである。図１６に示されるフローチャートは、上述の図１２に示されるフローチャートにおいて、ステップｓ２２，ｓ２３の替りにステップｓ３１〜ｓ３３が実行され、ステップｓ３３の後にステップｓ２４が実行され、ステップｓ２６の後にステップｓ３２が実行されるものである。電子機器１は、スルー画像を表示する間は、ステップｓ３２，ｓ３３，ｓ２４，ｓ２５，ｓ２６を繰り返し実行する。スルー画像の撮影時に静止画処理が実行される場合には、保存開始指示操作をタッチパネル１４０が検出したときには（ステップｓ５）、図１５に示されるフローチャートにおいて、ステップｓ７，ｓ３１が実行されずに、ステップｓ６の直後にステップｓ３２が実行される。
【０１０５】
以上のように、本変形例では、電子機器１は、カメラでの動画撮影中に無線通信部２１０が受信する被写体関連情報が実行条件を満たす場合、静止画処理を実行する。したがって、上記と同様に、電子機器１では、被写体７０の動画を撮影しているときに、所望の状態の被写体７０が写る静止画を自動的に得ることができる。
【０１０６】
＜第２変形例＞
図１７は本変形例に係る電子機器１の外観の一例を示す背面図である。図１８は本変形例に係る電子機器１の電気的構成の一例を示すブロック図である。
【０１０７】
図１８に示されるように、本変形例に係る電子機器１は第３カメラ２３０を備えている。第３カメラ２３０は、レンズ２３１及び撮像素子などを備えている。図１７に示されるように、電子機器１の背面１ｂの上側端部からは、第２カメラ２００のレンズ２０１だけではなく、第３カメラ２３０のレンズ２３１も視認可能となっている。第２カメラ２００のレンズ２０１と、第３カメラ２３０のレンズ２３１とは、例えば上下に並んでいる。
【０１０８】
第３カメラ２３０は、制御部１００による制御に基づいて静止画あるいは動画を撮影して制御部１００に出力することが可能である。第３カメラ２３０のレンズ２３１は、電子機器１の背面１ｂから視認可能となっていることから、第３カメラ２３０は、電子機器１の背面１ｂ側に存在する被写体を撮影することが可能である。以後、第２カメラ２００及び第３カメラ２３０をそれぞれ「第１アウトカメラ２００」及び「第２アウトカメラ２３０」と呼ぶことがある。また、インカメラ１９０、第１アウトカメラ２００及び第２アウトカメラ２３０を特に区別する必要がないときには、それぞれを単に「カメラ」と呼ぶことがある。
【０１０９】
第１アウトカメラ２００は、例えば、第２アウトカメラ２３０よりも広角に撮影できるカメラである。ここで、「広角に撮影できるカメラ」とは、第１アウトカメラ２００及び第２アウトカメラ２３０のレンズ２０１，２３１がともに、画角が固定の単焦点レンズである場合には、第１アウトカメラ２００の固定の画角が、第２アウトカメラ２３０の固定の画角よりも大きいことを意味する。また、第１アウトカメラ２００のレンズ２０１が単焦点レンズであり、第２アウトカメラ２３０のレンズ２３１が、画角が可変のズームレンズである場合には、「広角に撮影できるカメラ」とは、第１アウトカメラ２００の固定の画角が、第２アウトカメラ２３０の可変の画角の最大値よりも大きいことを意味する。また、第１アウトカメラ２００のレンズ２０１がズームレンズであり、第２アウトカメラ２３０のレンズ２３１が単焦点レンズである場合には、「広角に撮影できるカメラ」とは、第１アウトカメラ２００の可変の画角の最大値が、第２アウトカメラ２３０の固定の画角よりも大きいことを意味する。そして、第１アウトカメラ２００及び第２アウトカメラ２３０のレンズ２０１，２３１がともにズームレンズである場合には、「広角に撮影できるカメラ」とは、第１アウトカメラ２００の可変の画角の最大値が、第２アウトカメラ２３０の可変の画角の最大値よりも大きいことを意味する。
【０１１０】
電子機器１は、第１アウトカメラ２００の撮影範囲（以後、「第１撮影範囲」と呼ぶ）をズームする機能だけではなく、第２アウトカメラ２３０の撮影範囲（以後、「第２撮影範囲」と呼ぶ）をズームする機能を有している。第１アウトカメラ２００のズーム倍率が第２アウトカメラ２３０のズーム倍率以上であれば、第１撮影範囲は、第２撮影範囲よりも広く、第２撮影範囲を含んでいる。一方で、第１アウトカメラ２００のズーム倍率が第２アウトカメラ２３０のズーム倍率よりも小さい場合には、第１撮影範囲が第２撮影範囲を含む場合もあれば、第２撮影範囲が第１撮影範囲を含む場合もある。
【０１１１】
また、本変形例では、第２アウトカメラ２３０が有する撮像素子の画素数は、例えば、第１アウトカメラ２００が有する撮像素子の画素数より多くなっている。ユーザは、表示領域１１を操作することによって、第１アウトカメラ２００及び第２アウトカメラ２３０のそれぞれが撮影する静止画及び動画の画素数を設定することができる。なお、第１アウトカメラ２００の撮像素子の画素数と、第２アウトカメラ２３０の撮像素子の画素数とは同じであってもよい。
【０１１２】
本変形例では、第１アウトカメラ２００及び第２アウトカメラ２３０を備えるカメラ部が動画を撮影している場合に実行される静止画処理では、動画を撮影している一方のカメラとは異なる他方のカメラが静止画を撮影する。
【０１１３】
例えば、上述の図８及び図１２の例において、第１アウトカメラ２００が動画を撮影している場合に、無線通信部２１０が静止画処理の実行指示を受信すると、静止画処理では、制御部１００は、第２アウトカメラ２３０に静止画を撮影させる。また、第２アウトカメラ２３０が動画を撮影している場合に、無線通信部２１０が静止画処理の実行指示を受信すると、静止画処理では、制御部１００は、第１アウトカメラ２００に静止画を撮影させる。
【０１１４】
また、上述の図１５及び図１６の例において、第１アウトカメラ２００が動画を撮影している場合に、制御部１００は、被写体関連情報が実行条件を満たすと判定すると、静止画処理において、第２アウトカメラ２３０に静止画を撮影させる。また、第２アウトカメラ２３０が動画を撮影している場合に、制御部１００は、被写体関連情報が実行条件を満たすと判定すると、静止画処理において、第１アウトカメラ２００に静止画を撮影させる。
【０１１５】
このように、本変形例では、第１アウトカメラ２００及び第２アウトカメラ２３０を備えるカメラ部のあるカメラが動画を撮影している場合の静止画処理では、当該カメラ部における別のカメラが静止画を撮影する。したがって、カメラ部は、動画撮影を中断することなく、静止画を撮影することができる。
【０１１６】
なお、第１アウトカメラ２００が動画を撮影している場合の静止画処理において、制御部１００は、第１アウトカメラ２００に動画撮影を中断させて静止画を撮影させてもよいし、第１アウトカメラ２００で撮影される動画の一部を静止画として扱ってもよい。また、第２アウトカメラ２３０が動画を撮影している場合の静止画処理において、制御部１００は、第２アウトカメラ２３０に動画撮影を中断させて静止画を撮影させてもよいし、第２アウトカメラ２３０で撮影される動画の一部を静止画として扱ってもよい。
【０１１７】
以後、静止画処理において静止画を撮影するカメラを「静止画撮影カメラ」と呼ぶことがある。また、動画を撮影するカメラを「動画撮影カメラ」と呼ぶことがある。あるカメラが動画を撮影している場合の静止画処理において、当該あるカメラが動画撮影を中断して静止画を撮影する場合には、動画撮影カメラと静止画撮影カメラとは同じとなる。一方で、本変形例のように、あるカメラが動画を撮影している場合の静止画処理において、当該あるカメラとは別のカメラが静止画を撮影する場合には、動画撮影カメラと静止画撮影カメラとは別のカメラとなる。
【０１１８】
＜第３変形例＞
本変形例では、電子機器１は、静止画処理において静止画を撮影する。そして、電子機器１は、静止画処理において静止画を撮影する際のシャッター速度を、ウェアラブル機器５０で検出される被写体７０の速さに基づいて決定する。
【０１１９】
例えば、図８及び図１２の例のように、電子機器１が、ウェアラブル機器５０から実行指示を受信したときに静止画処理を行う場合には、ウェアラブル機器５０は、上述の図９のステップｓ５０４において、実行指示とともに、速さ算出部５０１で求められた最新の速さを電子機器１に送信する。制御部１００は、ウェアラブル機器５０から実行指示を受信すると、静止画処理において、静止画撮影カメラに静止画を撮影させる。このとき、制御部１００は、静止画撮影カメラが静止画を撮影する際のシャッター速度を、ウェアラブル機器５０から実行指示とともに受信した被写体７０の速さに基づいて決定する。制御部１００は、ウェアラブル機器５０から受信した被写体７０の速さが大きいほど、静止画撮影カメラが静止画を撮影する際のシャッター速度を大きくする。
【０１２０】
また、図１５及び図１６の例のように、電子機器１が、ウェアラブル機器５０で検出される被写体関連情報が実行条件を満たすか否かを判定する場合には、電子機器１は、被写体関連情報が実行条件を満たすと判定したとき、静止画処理において、静止画撮影カメラが静止画を撮影する際のシャッター速度を、ウェアラブル機器５０から受け取った被写体７０の最新の速さに基づいて決定する。制御部１００は、被写体７０の速さが大きいほど、静止画カメラが静止画を撮影する際のシャッター速度を大きくする。
【０１２１】
このように、静止画撮影カメラが静止画を撮影する際のシャッター速度が、ウェアラブル機器５０で検出される被写体７０の速さに基づいて決定されることにより、静止画処理において、被写体７０がぶれて撮影されることを抑制することができる。
【０１２２】
＜第４変形例＞
被写体関連情報が実行条件を満たすと判定されたとき、静止画撮影カメラの撮影範囲内に被写体７０が存在しない可能性がある。そのため、静止画処理で得られる静止画に被写体７０が写っていない可能性がある。
【０１２３】
そこで、本変形例では、電子機器１は、静止画撮影カメラの撮影範囲内に被写体７０が存在する場合には静止画処理を行い、静止画撮影カメラの撮影範囲内に被写体７０が存在しない場合には静止画処理を行わない。図１９は本変形例に係る電子機器１の電気的構成の一例を示す図である。図２０は本変形例に係るウェアラブル機器５０の電気的構成の一例を示す図である。
【０１２４】
図２０に示されるように、本変形例に係るウェアラブル機器５０は、図６に示される構成において、ＧＰＳ受信機５６０をさらに備えるものである。ＧＰＳ受信機５６０は、アンテナ５６１を有している。ＧＰＳ受信機５６０は、アンテナ５６１を用いて、プロセッサ５００による制御によって、ＧＰＳ（Global Positioning System）の人工衛星からの無線信号を受信することが可能である。ＧＰＳ受信機５６０は、受信した無線信号に基づいてウェアラブル機器５０の現在位置を例えば緯度経度で算出することが可能である。ウェアラブル機器５０の位置は、それが取り付けられた被写体７０の位置であると言えることから、ＧＰＳ受信機５６０は被写体７０の現在位置を算出することが可能であると言える。ＧＰＳ受信機５６０で求められた現在位置はプロセッサ５００に入力される。ＧＰＳ受信機５６０は、被写体７０の現在位置を取得する位置取得部として機能する。
【０１２５】
図１９に示されるように、本変形例に係る電子機器１は、図５に示される構成において、ＧＰＳ受信機２５０及び地磁気センサ２６０をさらに備えるものである。ＧＰＳ受信機２５０は、アンテナ２５１を有している。ＧＰＳ受信機２５０は、アンテナ２５１を用いて、制御部１００による制御によって、ＧＰＳの人工衛星からの無線信号を受信することが可能である。ＧＰＳ受信機２５０は、受信した無線信号に基づいて電子機器１の現在位置を例えば緯度経度で算出することが可能である。ＧＰＳ受信機２５０で求められた現在位置は制御部１００に入力される。ＧＰＳ受信機２５０は、電子機器１の現在位置を取得する位置取得部として機能する。地磁気センサ２６０は、地磁気を検出することが可能である。
【０１２６】
制御部１００は、地磁気センサ２６０で検出される地磁気と、ＧＰＳ受信機２５０で得られる電子機器１の位置と、ウェアラブル機器５０のＧＰＳ受信機５６０で得られる被写体７０の位置と、静止画撮影カメラの画角とに基づいて、静止画撮影カメラの撮影範囲内に被写体７０が存在するか否かを判定することが可能である。この点については後で詳細に説明する。
【０１２７】
図２１は本変形例に係るウェアラブル機器５０の動作の一例を示す図である。図２１に示されるフローチャートは、図９に示されるフローチャートに対応している。図２１に示されるように、ウェアラブル機器５０は、上述のステップｓ５０１を実行すると、ステップｓ５３１において、情報検出部５５０が被写体関連情報の検出を開始するとともに、ＧＰＳ受信機５６０が被写体７０の位置の取得を開始する。
【０１２８】
次にステップｓ５３２において、判定部５０２は、被写体関連情報が実行条件を満たすか否かを判定する。ステップｓ５３２において、被写体関連情報が実行条件を満たすと判定されると、ステップｓ５３３において、通信制御部５０３は、静止画処理の実行指示と、ＧＰＳ受信機５６０で取得された被写体７０の最新の位置とを、無線通信部５１０に送信させる。ウェアラブル機器５０は、動作終了指示を電子機器１から受け取るまで、ステップｓ５３２，ｓ５３３を繰り返し実行する。
【０１２９】
図２２は本変形例に係る電子機器１の動作の一例を示す図である。図２２に示されるフローチャートは、図８に示されるフローチャートに対応している。図２２に示されるように、電子機器１はステップｓ１〜ｓ７を実行する。その後、ステップｓ４１において、無線通信部２１０が、ウェアラブル機器５０から実行指示と被写体７０の現在位置とを受信すると、ステップｓ４２において、制御部１００は、被写体７０が、静止画撮影カメラの撮影範囲内に存在するか否かを判定する。ステップｓ４２において、制御部１００は、地磁気センサ２６０で検出される地磁気に基づいて、静止画撮影カメラのレンズが向いている方角を特定する。また、制御部１００は、ウェアラブル機器５０から受信する被写体７０の現在位置と、ＧＰＳ受信機２５０で得られる電子機器１の現在位置とに基づいて、被写体７０と電子機器１との間の距離を求める。そして、制御部１００は、静止画撮影カメラのレンズが向いている方角と、被写体７０と電子機器１との間の距離と、被写体７０及び電子機器１の現在位置と、静止画撮影カメラの現在の画角とに基づいて、被写体７０が静止画撮影カメラの撮影範囲内に存在するか否かを判定する。
【０１３０】
制御部１００は、ステップｓ４２において、被写体７０が静止画撮影カメラの撮影範囲内に存在すると判定すると、ステップｓ４３において静止画処理を行う。一方で、制御部１００は、ステップｓ４２において、被写体７０が静止画撮影カメラの撮影範囲内に存在しないと判定すると、ステップｓ４４において、静止画処理を行わないことを決定する。電子機器１は、ウェアラブル機器５０から実行指示を受信するたびに（ステップｓ４１）、ステップｓ４２〜ｓ４４を実行する。
【０１３１】
このように、本変形例では、制御部１００は、動画撮影カメラでの動画撮影中に、静止画撮影カメラの撮影範囲内に被写体７０が存在するか否かを判定する。そして、制御部１００は、動画撮影中に無線通信部２１０が静止画処理の実行指示を受信した場合、被写体７０が静止画撮影カメラの撮影範囲内に存在すると判定するときには静止画処理を行う。一方で、制御部１００は、動画撮影中に無線通信部２１０が静止画処理の実行指示を受信した場合、被写体が静止画撮影カメラの撮影範囲内に存在しないと判定するときには静止画処理を行わない。これにより、静止画処理において、被写体７０が写らない静止画が得られることを抑制することができる。よって、無駄に静止画処理が実行されることを抑制できる。
【０１３２】
なお、スルー画像の撮影中に静止画処理が実行される場合であっても、制御部１００は、被写体が静止画撮影カメラの撮影範囲内に存在するか否かの判定結果に基づいて、静止画処理を実行するか否かを決定してもよい。図２３はこの場合の電子機器１の動作の一例を示すフローチャートである。図２３に示されるフローチャートは、図１２に示されるフローチャートにおいて、ステップｓ２２，ｓ２３の替りに、ステップｓ４１〜ｓ４４が実行され、ステップｓ４３の後にステップｓ２４が実行されるものである。
【０１３３】
また、電子機器１が被写体関連情報が実行条件を満たすか否かを判定する場合であっても、制御部１００は、被写体が静止画撮影カメラの撮影範囲内に存在するか否かの判定結果に基づいて、静止画処理を実行するか否かを決定してもよい。図２４，２５はこの場合のウェアラブル機器５０及び電子機器１の動作の一例をそれぞれ示すフローチャートである。
【０１３４】
図２４に示されるフローチャートは、図１４に示されるフローチャートに対応している。図２４に示されるように、ウェアラブル機器５０は、上述のステップｓ５２１を実行すると、ステップｓ５４１において、情報検出部５５０が被写体関連情報の検出を開始するとともに、ＧＰＳ受信機５６０が被写体７０の位置の取得を開始する。
【０１３５】
次にステップｓ５４２において、無線通信部５１０は、通信制御部５０３による制御により、検出される被写体関連情報の送信を開始するとともに、取得された被写体７０の位置の送信を開始する。無線通信部５１０は、情報検出部５５０で被写体関連情報が検出されるたびに、検出された被写体関連情報を電子機器１に送信し、ＧＰＳ受信機５６０で被写体７０の位置が取得されるたびに、取得された被写体の位置を電子機器１に送信する。
【０１３６】
図２５に示されるフローチャートは、図１５に示されるフローチャートに対応している。図２５に示されるように、電子機器１がステップｓ１〜ｓ７を実行すると、ステップｓ５１において、無線通信部２１０は、ウェアラブル機器５０から送信される被写体関連情報及び被写体７０の位置の受信を開始する。
【０１３７】
次にステップｓ５２において、制御部１００は、被写体関連情報が実行条件を満たすか否かを判定する。制御部１００は被写体関連情報が実行条件を満たすと判定すると、ステップｓ５３において、制御部１００は、被写体７０が静止画撮影カメラの撮影範囲内に存在するか否かを判定する。ステップｓ５３では、無線通信部２１０が受信する被写体の最新の位置が使用される。制御部１００は、被写体７０が静止画撮影カメラの撮影範囲内に存在すると判定すると、ステップｓ５４において静止画処理を行う。一方で、制御部１００は、被写体７０が静止画撮影カメラの撮影範囲内に存在しないと判定すると、ステップｓ５５において、静止画処理を行わないことを決定する。その後、ステップｓ５２が再度実行され、被写体関連情報が実行条件を満たすか否かが判定される。電子機器１は、保存終了指示操作がタッチパネル１４０で検出されるまで、ステップｓ５２〜ｓ５５を繰り返し実行する。
【０１３８】
このように、図２５の例では、制御部１００は、動画撮影中に無線通信部２１０が受信する被写体関連情報が実行条件を満たすと判定する場合、被写体７０が静止画撮影カメラの撮影範囲内に存在すると判定するときには静止画処理を行う。一方で、制御部１００は、動画撮影中に無線通信部２１０が受信する被写体関連情報が実行条件を満たすと判定する場合、被写体が静止画撮影カメラの撮影範囲内に存在しないと判定するときには静止画処理を行わない。これにより、静止画処理において、被写体７０が写らない静止画が得られることを抑制することができる。よって、無駄に静止画処理が実行されることを抑制できる。
【０１３９】
なお、制御部１００が被写体関連情報が実行条件を満たすか否かを判定する場合であって、スルー画像の撮影中に静止画処理が実行される場合であっても、制御部１００は、被写体が静止画撮影カメラの撮影範囲内に存在するか否かの判定結果に基づいて、静止画処理を実行するか否かを決定してもよい。図２６はこの場合の電子機器１の動作の一例を示すフローチャートである。図２６に示されるフローチャートは、図１６に示されるフローチャートにおいて、ステップｓ３１，ｓ３２の替りに、ステップｓ５１〜ｓ５５が実行され、ステップｓ５４の後にステップｓ３３が実行されるものである。
【０１４０】
＜その他の変形例＞
ウェアラブル機器５０は、リストバンド型、腕時計型、メガネ型あるいは服型のウェアラブル機器であってもよい。
【０１４１】
また上記の例では、電子機器１は、スマートフォン等の携帯電話機であったが、他の種類の電子機器であってよい。電子機器１は、例えば、タブレット端末、パーソナルコンピュータ、ウェアラブル機器などであってよい。電子機器１として採用されるウェアラブル機器は、ウェアラブル機器５０と同様に、リストバンド型あるいは腕時計型などの腕に装着するタイプであってもよいし、ヘッドバンド型あるいはメガネ型などの頭に装着するタイプであってもよいし、服型などの体に装着するタイプであってもよい。
【０１４２】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１４３】
１  電子機器
５０  ウェアラブル機器
６０  電子機器システム
１００  制御部
１５２ａ，５２２ａ  制御プログラム
１９０  第１カメラ
２００  第２カメラ
２１０，５１０  無線通信部
２３０  第３カメラ
５００  プロセッサ
５５０  情報検出部
【図１】
2018006797.tif 000003
【図２】
2018006797.tif 000004
【図３】
2018006797.tif 000005
【図４】
2018006797.tif 000006
【図５】
2018006797.tif 000007
【図６】
2018006797.tif 000008
【図７】
2018006797.tif 000009
【図８】
2018006797.tif 000010
【図９】
2018006797.tif 000011
【図１０】
2018006797.tif 000012
【図１１】
2018006797.tif 000013
【図１２】
2018006797.tif 000014
【図１３】
2018006797.tif 000015
【図１４】
2018006797.tif 000016
【図１５】
2018006797.tif 000017
【図１６】
2018006797.tif 000018
【図１７】
2018006797.tif 000019
【図１８】
2018006797.tif 000020
【図１９】
2018006797.tif 000021
【図２０】
2018006797.tif 000022
【図２１】
2018006797.tif 000023
【図２２】
2018006797.tif 000024
【図２３】
2018006797.tif 000025
【図２４】
2018006797.tif 000026
【図２５】
2018006797.tif 000027
【図２６】
2018006797.tif 000028